(57)【要約】【課題】  浴室内に設置された物干しバーを使用しないときには、浴室内において手軽に且つ簡単に収納をすることができると共に、収納された物干しバーを使用するにあたっても、手軽に且つ簡単に設置ができる物干しバー装置を提供する。【解決手段】  浴室の一側面Ａに物干しバー３の一端部を支持する受け部１を設け、一側面Ａに対向する他側面Ｂに枢支部２を設け、該枢支部２に一端部を回動自在に枢支された伸縮自在の物干しバー３の他端部を前記受け部１に支持させることで物干しバー１を架設する。一方、浴室の他側面Ｂに保持部４を設け、該保持部４に物干しバー３の他端部若しくは他端部近傍を保持させることで物干しバー３を収納する。【選択図】        図１
2009284990.tif 000002
【特許請求の範囲】
【請求項１】
浴室の一側面に物干しバーの一端部を支持する受け部を設け、一側面に対向する他側面に枢支部を設け、該枢支部に一端部を回動自在に枢支された伸縮自在の物干しバーの他端部を前記受け部に支持させることで物干しバーを架設し、浴室の他側面に保持部を設け、該保持部に物干しバーの他端部若しくは他端部近傍を保持させることで物干しバーを収納して成ることを特徴とする物干しバー装置。
【発明の詳細な説明】
【技術分野】
【０００１】
本発明は、浴室の対向する側面間に設置される物干しバー装置に関するものである。
【背景技術】
【０００２】
従来から、浴室内の対向する側面間に架設して設置される物干しバーが知られている（例えば、特許文献１参照）。
【０００３】
一般的に、この浴室内に設置される物干しバーは取り外し自在に形成されており、入浴者がこの浴室内の浴槽を使用する際には、この物干しバーを取り外して脱衣室等といった浴室とは別の場所に収納することを前提としているものである。
【特許文献１】実用新案登録第３０５４８３５号公報
【発明の開示】
【発明が解決しようとする課題】
【０００４】
しかしながら、多くの使用者はこの架設された物干しバーを浴室の側面から取り外して、浴室とは別の場所に運び出し収納する等といった煩わしいことはしておらず、物干しバーを浴室の対向する側面間に架設した状態のまま、浴槽や洗い場を使用しているのが現状であった。
【０００５】
浴室の対向する側面間に物干しバーを架設したままの浴槽等の使用は、入浴者に対して圧迫感を与えるだけではなく、物干しバーとの衝突や物干しバーの落下等の危険をも伴うものであり、入浴者に対して快適で且つ安全な浴室ではなくなっていた。
【０００６】
本発明は、上記従来の問題に鑑みてなされたものであり、その目的とするところは、浴室内に設置された物干しバーを使用しないときには、浴室内において手軽に且つ簡単に収納をすることができると共に、収納された物干しバーを使用するにあたっても、手軽に且つ簡単に設置ができる物干しバー装置を提供することにある。
【課題を解決するための手段】
【０００７】
上記課題を解決するために請求項１に係る発明にあっては、浴室の一側面Ａに物干しバー３の一端部を支持する受け部１を設け、一側面Ａに対向する他側面Ｂに枢支部２を設け、該枢支部２に一端部を回動自在に枢支された伸縮自在の物干しバー３の他端部を前記受け部１に支持させることで物干しバー１を架設し、浴室の他側面Ｂに保持部４を設け、該保持部４に物干しバー３の他端部若しくは他端部近傍を保持させることで物干しバー３を収納して成ることを特徴とするものである。
【０００８】
このように構成したことで、架設された物干しバー３を浴室とは別の場所に持ち運ぶ必要がなく、簡単に浴室内において収納することができると共に、簡単に物干しバー３を浴室の対向する側面Ａ，Ｂ間に架設することができる。
【発明の効果】
【０００９】
本発明によれば、物干しバーの収納を手軽に且つ簡単にすることができ、しかも、浴室から離れた別の場所に運ぶ必要がないので、物干しバーの使用者に該物干しバーを収納しようとする気を喚起させる。それに伴って、従来生じていた物干しバーが設置されたままの状態における危険や圧迫感を取り除くことができ、安全且つ快適な浴室空間を提供することができる。
【発明を実施するための最良の形態】
【００１０】
以下、本発明について添付図面に基づいて説明する。
【００１１】
本発明の物干しバー装置は、物干しバー３の使用時はユニットバス等の浴室内の対向する側面間に物干しバー３を架設し、物干しバー３の不使用時には該物干しバー３を浴室側面に沿うようにして収納するものである。
【００１２】
添付図面に示す本発明の一例の物干しバー装置は、図１に示すように、浴室の一側面Ａに配設された受け部１と、該一側面Ａに対向する他側面Ｂに配設された枢支部２と、該枢支部２に上下方向に回動自在に連結された物干しバー３と、前記枢支部２と同一の側面（他側面Ｂ）に保持部４を設置することで構成されている。
【００１３】
受け部１は、図２に示すように、正面視略Ｕ字形状の受け片１１が本体部１２の下部縁辺から前方に向かって突設されており、この正面視略Ｕ字形状の受け片１１の上方の対向する端部近傍には、互いに向き合うようにして抜け止突部１３が突設してある。本体部１２には浴室の側面に固設するための固着具挿通孔１４が貫通して穿設されており、ネジ等の固着具を該固着具挿通孔１４に挿通して、浴室の一側面Ａに固設されている。
【００１４】
また枢支部２は、図４に示すように、枢支部本体２１の両側から側部２２が突設されて断面略コ字状を成しており、両側部２２，２２を貫設して回転軸２３が架設してある。この回転軸２３には物干しバー３の端部が回転自在に連結される。本実施形態の物干しバー３は、該回転軸２３に連結される第１バー部３１と、第１バー部３１の径よりも小さい径を備えて且つ該第１バー部３１内に収容される第２バー部３２とで構成されており、これらは互いに伸縮自在に構成されている。この物干しバー３は所定の長さまで伸びるとそれ以上には伸びないようになっており、第１バー部３１及び第２バー部３２は互いに抜け落ちないようになっている。更に、第２バー部３２の連結していない側の端部にはエンドキャップ３３が嵌着されている。枢支部本体２１には固着具挿通孔２４が穿設されており、前記受け部１の設置された側面と対向する側面において、受け部１の受け片１１に物干しバー３が載置された状態で該物干しバー３が水平となるような位置に、固着具によって固設されている。
【００１５】
保持部４は、図３に示すように、保持部本体４１の両端及び下端から前方に向けて保持片４２が突設されている。この保持片４２の対向する側面間の距離は、前記エンドキャップ３３の外径と略同じか、若干大きくなっている。更に、この対向する側面には互いに内向して隆起する隆起部４３が形成されている。この保持部４は、固着具を保持部本体４１に設けられた固着具挿通孔４４に挿通することで、枢支部２の鉛直下方に（物干しバー３の軸芯上に保持部４の中心が位置するように）固設して設置されている。
【００１６】
このようにして構成された物干しバー装置を使用するにあたっては、図１に示すように、枢支部２に回動自在に連結された物干しバー３を引き伸ばすと共に、エンドキャップ３３が配された側の端部を受け部１の受け片１１上に装着する。このエンドキャップ３３の設けられた物干しバー３の端部が、受け片１１に設けられた抜け止突部１３の上方から下方に移動する際には、クリック感が得られると共に受け片１１に装着が完了したことが分かるようになっており、装着が不十分のまま使用する事態を回避できるようになっている。該抜け止突部１３は、物干しバー３の端部が受け片１１から上方に抜け落ちるのを防止するため、例えば、ハンガー引掛け部が物干しバー３に嵌着したハンガーを、使用者が上方に向けて引き抜くようにした場合等に有効に作用することになる。
【００１７】
一方、物干しバー３の不使用時において該物干しバー３を収納するにあたっては、受け部１に装着された物干しバー３の端部を該受け部１から取り外し、該物干しバー３を収縮させると共に、該物干しバー３を下方に向けて回動させて、該物干しバー３の端部を保持部４に被嵌させる。保持部４に設けられた保持片４２の底面に、物干しバー３の端部（エンドキャップ３３）を載置させるようになっており、伸縮自在に形成された物干しバー３が収納時に伸びないようになっている。また、保持片４２の両側面に設けられた隆起部４３によってエンドキャップ３３が挟持されるようになっており、収納された物干しバー３の端部が不意に側方へ抜け落ちないようになっている。
【００１８】
このような収納時の物干しバー３は、握りバーとしての機能も有しており、お年寄り等の入浴時においても非常に役に立つようになっている。
【００１９】
以上のように構成された本発明の物干しバー装置は、設置及び収納を簡単に行なうことができるのみならず、物干しバー３の収納場所にも困ることがない。また、浴室の側面に沿うようにして収納するので、収納時の物干しバー３は目立たなく、意匠性も良好である。更に、浴室外の別の場所に持ち運んで収納することを前提としていた従来品は面倒臭くて収納することができなかった使用者であっても、本発明にあっては、浴室内において簡単に収納することができるので、使用者が面倒臭がらずに収納することに資するものであり、それに伴って浴室使用時における圧迫感や物干しバー３の落下等に伴う危険を取り除くことができる。
【００２０】
なお、上記実施例における保持部４は、物干しバ３ーの端部を保持片４２の底面において保持・載置する形状を備えるものであったが、特に限定されるものではなく、例えば該保持部４を断面略コ字形状にして対向する両側面間の隙間を物干しバー３の第２バー部３２の外形よりも若干小さくして、該第２バー部３２を（即ち、物干しバー３の端部近傍を）挟持する構成にしても同様に本発明の効果を得ることができる。また、物干しバー３の回動する方向は上下方向（垂直方向）でなくてもよく、例えば左右方向（水平方向）であってもよい。
【図面の簡単な説明】
【００２１】
【図１】本発明の実施例の物干しバー装置の物干しバーの使用時と収納時とを説明する図である。
【図２】同上の受け部を説明する図であり、（ａ）は正面図であり、（ｂ）は側面図であり、（ｃ）は上面図である。
【図３】同上の保持部を説明する図であり、（ａ）は正面図であり、（ｂ）は側面図であり、（ｃ）は上面図である。
【図４】同上の枢支部及び物干しバーを説明する図であり、（ａ）は正面図であり、（ｂ）は側面図であり、（ｃ）は上面図である。
【符号の説明】
【００２２】
１      受け部
１１    受け片
１２    本体部
２      枢支部
２１    枢支部本体
２２    側部
２３    回転軸
３      物干しバー
３１    第１バー部
３２    第２バー部
３３    エンドキャップ
４      保持部
４１    保持部本体
４２    保持片
Ａ      浴室の一側面
Ｂ      浴室の他側面
【図１】
2009284990.tif 000003
【図２】
2009284990.tif 000004
【図３】
2009284990.tif 000005
【図４】
2009284990.tif 000006